(57)【要約】本発明は、メニュー画像発生方法及びメニュー画像を記録担体（２０）に記録する記録装置に関し、ここで、キーフレーム画像はスケーリングされ、その後、スライス置き換え操作によって組み立てられる前に圧縮される。この全体のメニュー画像組み立て操作は、圧縮画像領域において実行され、ここで、画像は復号される必要は無く、前記スケーリングされるキーフレーム画像に対応するメニュー画像の僅かな部分だけが符号化される必要がある。これによって、ハードウェア及びソフトウェアの要求が減少するように、記録装置の通常の符号化−復号化パイプラインはメニューの生成に必要とされなくなる。
2004516733.tif 000002
【特許請求の範囲】
【請求項１】
背景画像及びサブ画像のオーバーレイから構成されるメニュー画像を生成する方法であって、
ａ）少なくとも１つのキーフレーム画像を既定のサイズにスケーリングするステップ、
ｂ）前記メニュー画像を形成するために、前記背景画像と前記スケーリングされた少なくとも１つのキーフレーム画像とを組み立てるステップ、及び
ｃ）記録担体上の既定エリアに前記メニュー画像を記録するステップ、
を有する方法において、
ｄ）前記組立ステップの前に前記スケーリングされた少なくとも１つのキーフレーム画像を圧縮するステップ、及び
ｅ）前記圧縮された画像領域において前記組立ステップを実行するステップ、
を特徴とする方法。
【請求項２】
請求項１に記載の方法において、前記組立ステップは、前記背景画像の全体の部分を前記スケーリングされた少なくとも１つのキーフレーム画像を表す新しい部分に置き換えることで実行されることを特徴とする方法。
【請求項３】
請求項２に記載の方法において、前記全体の部分は、スライスであることを特徴とする方法。
【請求項４】
請求項２又は３に記載の方法において、前記部分の各々は、既定のサイズであり、前記スケーリングされた少なくとも１つのキーフレーム画像は整数の前記部分を構成することを特徴とする方法。
【請求項５】
請求項２、３又は４に記載の方法において、前記キーフレーム画像は既定のピクセル数の格子上に置かれることを特徴とする方法。
【請求項６】
請求項２乃至５の何れか一項に記載の方法において、前記スケーリングされた少なくとも１つのキーフレーム画像は、前記部分の組を有する個々のエンティティとして記憶されることを特徴とする方法。
【請求項７】
請求項２乃至６の何れか一項に記載の方法において、前記背景画像は、前記部分の格子を有し、前記部分の境界は、前記少なくとも１つのキーフレーム画像の挿入部分に置かれることを特徴とする方法。
【請求項８】
請求項１乃至７の何れか一項に記載の方法において、前記スケーリングは、因子８のスケーリングであることを特徴とする方法。
【請求項９】
請求項８に記載の方法において、スケーリングされた非圧縮のキーフレーム画像は、可変長復号を実行し、ブロック毎のＤＣ係数を抽出し、この抽出されたＤＣ係数を逆量子化することにより圧縮されたキーフレーム画像から抽出されることを特徴とする方法。
【請求項１０】
請求項１乃至９の何れか一項に記載の方法において、前記スケーリングステップは、マクロブロックを復号し、前記スケーリングされた少なくとも１つのキーフレーム画像に対する寄与を得ることにより実行されることを特徴とする方法。
【請求項１１】
請求項２に記載の方法において、前記スケーリングされたキーフレームのサイズを前記全体の部分の少なくとも１つのサイズに合わせるために、前記スケーリングされたキーフレーム画像の周りにマージンを追加することを特徴とする方法。
【請求項１２】
請求項１０又は１１に記載の方法において、制限される数のコード語がブロック毎に用いられることを特徴とする方法。
【請求項１３】
メニュー画像を記録担体に記録する記録装置であって、
ａ）少なくとも１つのキーフレーム画像を既定のサイズにスケーリングするスケーリング手段、
ｂ）前記メニュー画像を形成するために、背景画像と前記スケーリングされた少なくとも１つのキーフレーム画像とを組み立てる組立手段、及び
ｃ）前記記録担体上の既定エリアに前記メニュー画像を記録する記録手段、
を有する記録装置において、
ｄ）前記スケーリングされた少なくとも１つのキーフレーム画像を圧縮し、前記圧縮されたスケーリングされた少なくとも１つのキーフレーム画像を前記組立手段に供給する圧縮手段を更に有し、
ｅ）前記組立手段は、前記圧縮された画像領域において前記背景画像と前記キーフレーム画像とを組み立てる、
ことを特徴とする記録装置。
【請求項１４】
請求項１３に記載の記録装置において、前記組立手段は、前記背景画像と前記少なくとも１つのキーフレーム画像とを組み立てるために、スライス置き換え操作を実行することを特徴とする記録装置。
【請求項１５】
請求項１３又は１４に記載の記録装置において、前記スケーリング手段は、前記選択されたキーフレーム画像の可変長復号を実行する可変ランレングス復号手段と、前記復号されたキーフレーム画像の既定のマクロブロックのＤＣ係数を抽出する抽出手段とを有することを特徴とする記録装置。
【請求項１６】
請求項１５に記載の記録装置において、前記既定されたマクロブロックを検索する検索手段を有することを特徴とする記録装置。
【請求項１７】
請求項１３乃至１６の何れか一項に記載の記録装置において、前記スケーリング手段は、既定のマクロブロックを復号する復号手段を有し、前記スケーリングされた少なくとも１つのキーフレーム画像に対する前記復号されたマクロブロックの寄与を得ることを特徴とする記録装置。
【請求項１８】
請求項１に記載の方法により生成されるメニュー画像が記録された記録担体。
【請求項１９】
請求項１８に記載の記録担体において、前記記録担体はＤＶＤ再生互換があることを特徴とする記録担体。
【発明の詳細な説明】
【０００１】
【発明の属する技術分野】
本発明は、請求項１の序文に従ってメニュー画像を生成する方法、及び請求項１２の序文に従ってメニュー画像を記録担体上に記録する記録装置に関する。
【０００２】
【従来の技術】
今日では、例えば映画のような幾つかの記録アイテムが単一の光学ディスクに記録可能である大きな記憶容量を持った光学ディスクのような記録担体が開発されてきた。様々なやり方でこの光学ディスクから記録アイテムを再生するために、映画情報アイテムのようなあらゆる記録された情報アイテムが選択され、再生されるように記録アイテムを表す様々な情報アイテムを記録する必要がある。上記記録アイテムを選択及び再生するために、所望の記録アイテムの選択に使用される選択情報も同様に光学ディスクに記録されなければならない。その結果、所望の記録された情報アイテムを選択するためのメニュー画像が生成され、光学ディスクに記録される。
【０００３】
上記メニュー画像を得るために、例えばＤＶＤのような関連するビデオ規格に従ってディスクメニュー（例えばＴＯＣ（ｔａｂｌｅ ｏｆ ｃｏｎｔｅｎｔ））を提示又は生成することが必要とされる。このビデオ規格に従って、メニューは、背景音声（ＢＧＭ）及びビデオ情報から構成され、副画像は、テキスト及びハイライトに使用される。典型的に、メニューは、（ＭＰＥＧ符号化されてもよい）背景静止画像並びにテキスト及びハイライト（例えばボタン）用の副画像（グラフィック）のオーバーレイ（ｏｖｅｒｌａｙ）から構成される。
【０００４】
記録装置において、前記メニューは特定のキーフレームを、各キーフレームはトラック又は記録を表している。各々使用されるキーフレームは、スケーリングされ、多数のキーフレームは、メニュー画像を形成するために一緒に組み立てられる。新しい記録がディスクに追加される度に、全く新しい背景画像が組み立てられる必要がある。これは、最初からか、古い背景画像に新しいキーフレームをちょっと加えるかによって達成される。
【０００５】
ヨーロッパ特許出願公報ＥＰ−Ａ−０７３８０７８は、最初に明示されたようなメニュー生成方法及び記録方法を開示している。この公報において、多数の復号及び符号化アクションは、任意のキーフレーム構成を持つメニュー画像を生成するために実行される必要がある。特に、背景画像は復号される必要があり、前記キーフレームの各々は復号される必要があり、各キーフレームはより小さいサイズにスケーリングされる必要があり、メニュー背景は上記キーフレームを用いて組み立てられる必要があり、新しいメニュー画像は符号化され、ディスク上の適当なエリアに記録される必要がある。
【０００６】
その上、現在のディスクに記録が追加されるとき、現在のメニュー画像は、復号される必要があり、最後の記録の１つのキーフレームが復号される必要があり、このキーフレームはスケーリングされる必要があり、新しいメニュー画像は、復号された古いメニュー画像と新しいスケーリングされたキーフレームとを用いて組み立てられる。その後、新しいメニュー画像は符号化され、ディスクの適当なエリアに記録される。
【０００７】
【発明が解決しようとする課題】
上記シナリオの場合、少なくとも２つの画像が復号される必要があり、一方の画像はスケーリングされる必要があり、もう一方の画像は符号化される必要がある。典型的な記録システムの場合、前記背景画像において上述のメニューオーサリング機能を実行することが好ましい一方、通常の符号化又は復号化パイプラインは、例えば音声／ビデオのループスルー（ｌｏｏｐｔｈｒｏｕｇｈ）のような他のタスクに使用される。メニューオーサリング操作の複雑さは、ソフトウェア及びソフトウェア実行の両方に関し最小化されることが望ましい。
【０００８】
従って、本発明の目的は、メニューオーサリング方法及び記録装置を提供することであり、これらを用いてメニューオーサリングの処理要求が減少する。
【０００９】
本目的は、請求項１に規定されるメニュー画像を生成する方法と、請求項１２に規定される記録装置とによって達成される。
【００１０】
従って、背景画像を組み立てる全体の操作は、圧縮された画像領域において実行されるので、画像が復号される必要は無く、画像の僅かな部分だけ、すなわち、スケーリングされるキーフレーム画像が符号化される。それ故に、全画像の復号及び符号化の必要性は無くなり、制限される数のメモリだけが必要とされる。
【００１１】
【課題を解決するための手段】
有利な開発に従って、組立ステップは、背景画像の全体の部分をスケーリングされた少なくとも１つのキーフレーム画像を表す新しい部分に置き換えることにより実行される。これによって、背景画像の全体の部分又はスライスは、スケーリングされたキーフレームを表す新しいスライスに置き換えられる。この場合、前記部分の各々は、既定のサイズであり、キーフレーム画像は、整数の前記部分を含む。従って、これらキーフレームは、既定数のピクセルの格子上に置かれ、前記スケーリングされたキーフレーム画像は、整数のスライスを含む。前記スケーリングされた少なくとも１つのキーフレーム画像は、少なくとも前記部分の組を有する個々のエンティティ（ｅｎｔｉｔｙ）として記憶されてもよい。これによって、挿入及び置き換えが背景画像において容易となる。この背景画像は、前記部分の格子を有し、これら部分の境界は、前記少なくとも１つのキーフレーム画像の挿入位置に置かれる。従って、キーフレーム挿入操作は、単一バイト操作であるスライス置き換え操作として実行可能である。
【００１２】
キーフレームスケーリングは、因子８で画像スケーリングを支持するだけで最適化される。スケーリングされた非圧縮画像は、次いで簡単な可変長復号操作を実行することによって圧縮画像から抽出される。特に、スケーリングされた非圧縮のキーフレーム画像が抽出され、ブロック毎のＤＣ係数又は成分がスケーリング操作を実行するために、抽出され、逆量子化（ｄｅ−ｑｕａｎｔｉｚｅ）されてもよい。これによって、大きな性能利得は、ＩＤＣＴ（Ｉｎｖｅｒｓｅ Ｄｉｓｃｒｅｔｅ Ｃｏｓｉｎｅ Ｔｒａｎｓｆｏｒｍ）操作を行う必要性を無くし、ＡＣ係数を逆量子化する必要性を無くし、及びスケーリング操作の前に、アンチエイリアシングフィルタリングを実行する必要性を無くすことで達成される。
【００１３】
因子８のスケーリングの代わりとして、スケーリングステップは、マクロブロックを復号し、スケーリングされた少なくとも１つのキーフレーム画像への寄与を得ることにより実行される。これによって、最も近いマクロブロックに対するスケーリングされたフレームのトリミングが防がれる。ブロック毎に制限される数のコード語を用いることで、ＩＤＣＴに対する処理要件及び逆量子化が制限される。
【００１４】
記録装置の有利な開発に従い、スケーリング手段は、選択されたキーフレーム画像の可変長復号を実行する可変ランレングス復号手段、及びこの復号されたキーフレーム画像の既定のマクロブロックのＤＣ係数を抽出する抽出手段を有する。その上、この既定されたマクロブロックを検査する検査手段が設けられてもよい。
【００１５】
代わりに、前記スケーリング手段は、マクロブロックを復号する復号手段を有してもよく、スケーリングされた少なくとも１つのキーフレーム画像に対する復号されたマクロブロックの寄与を得てもよい。
【００１６】
【発明の実施の形態】
本発明の他の有利な改良は、従属請求項に規定されている。
【００１７】
以下において、本発明が添付する図を参照してより詳細に説明される。
【００１８】
図１は、光学ディスク再生装置の基本構造を示すブロック図である。図１に従って、光学ディスク再生装置は、書き込み可能な光学ディスク２０に与えられるレーザを使用することでこの書き込み可能な光学ディスク２０（例えばＤＶＤ＋Ｒ／Ｗ又はＤＶＤ再生互換型ディスク）に記録を行い、このディスクから再生するディスクドライブユニット１１を有する。その上、このディスクドライブユニット１１は、書き込み可能な光学ディスク２０を回転させる主軸モータ１８を制御するように配される。更に、記録及び／又は再生データと、背景及びキーフレーム画像データとを記憶する例えばスタティックＲＡＭ又はダイナミックＲＡＭのような揮発性メモリ１５を備える。
【００１９】
システムメモリ部に記憶されたプログラムに従って操作するシステムＣＰＵ部によって制御されるシステム処理器のような制御ユニット１４は、記録操作及び再生操作を制御するように配される。この制御ユニット１４の制御操作は、操作パネル及び表示装置のような入力／出力ユニット１７によって監視及び制御される。
【００２０】
好ましい実施例に従い、ＲＡＭ１５から読み取られる背景画像と、メニュー画像のスケーリングされた小さな部分だけが符号化されなければならないような符号化又は圧縮された画像領域内において、ＭＰＥＧ符号化器１３から与えられるスケーリングされた符号化キーフレーム画像とを組み立てる組立ユニット１２が提供される。その上、ＲＡＭ１５から選択されたキーフレーム画像を読み取り、背景画像の対応するエリアに従ってスケーリング操作を実行するスケーリングユニット１６が提供される。このスケーリングユニット１６のスケーリング操作は制御ユニット１４によって制御される。
【００２１】
組立ユニット１２における組み立て操作は、符号化された背景画像の全体のスライスをスケーリングされたキーフレーム画像を表す新規スライスに置き換えることにより実行される。これは、例えば１６×１６ピクセルからなる格子上にキーフレーム画像を配置することにより達成され、スケーリングされるキーフレーム画像は整数のスライスを構成する。これにより、スケーリングされたキーフレームは、別々のエンティティ（例えばディスク規格の一部）としてＲＡＭ１５に記憶される場合、これによって背景画像におけるスケーリングされるキーフレームの挿入及び置き換えを容易にするために、これはスライスの組として行われる。適当なスライス格子は、スケーリングされたキーフレーム画像が挿入される位置にスライス境界が設けられる背景画像に対し選択される。従って、キーフレームの挿入は、バイト操作として組立ユニット１２で実行される。
【００２２】
スケーリング操作は、因子８によるスケーリングを支持するだけで最適化される。この場合、スケーリングされた非圧縮画像は、単に可変長復号を実行し、マクロブロック毎（８×８ピクセル）のＤＣ係数を抽出し、そしてこのＤＣ係数を逆量子化することによって圧縮画像から抽出され得る。
【００２３】
以下において、典型的なＤＶＤの解像度及びスケーリングされた画像サイズは、図２に示されるような因子８のスケーリングの制約で記載される。その上、結果生じるスケーリングされたフレームのマクロブロック数は、整数に制約される。
【００２４】
以下のような表は、利用可能な画像サイズの既定パラメタを示し、マクロブロックのサイズが１６×１６ピクセルを有する。
【００２５】
【表１】
2004516733.tif 000003
【００２６】
上記表の第１行目に基づく例に従う場合、本来のキーフレーム画像のサイズは、７２０×５７６ピクセルであり、この画像はワイドスクリーン方式には関係していない。この場合、８×８ピクセルのサイズを持つ９０×７２ＤＣＴブロックが設けられる。これは通常の非ワイドスクリーンのアスペクト比に直接に対応する。従って、サイズの訂正は必要とされない。スケーリングは、マクロブロックの数、すなわち本実施例において（各々が１６×１６ピクセルのサイズを持つ）５×４のマクロブロックを得ることで実行される。このスケーリングが１６×１６ピクセルの格子に基づくという事実を考慮して、上記マクロブロックの数は、水平方向及び垂直方向それぞれに因子８のスケーリングに対応する。しかしながら、変換されたマクロブロックのサイズに従うＤＣＴブロックの数は、本来のサイズに従うＤＣＴブロックの数に必ずしも対応しないことに注意されたい。従って、スケーリングされたキーフレームのサイズが背景画像の対応するスライス格子に嵌め込まれなければならないので、トリミングされる（ｃｒｏｐｐｅｄ）サイズは、スケーリング操作によって生成される。本実施例において、９０×７２のＤＣＴのサイズが整数のマクロブロック、すなわち５×４のマクロブロックを得るために８０×６４のサイズにトリミングされる。
【００２７】
所望のアスペクト比と画像サイズとを達成するために、ＤＣ係数画像は、上記ＤＣＴブロックの各々に対するＤＣ係数を得ることで生成され、アスペクト比の列に列挙される値に従ってズームされる。トリミング操作は、カッティング操作によって実行されてもよい。代わりに、境界線は、各方向に１つのマクロブロックを追加した表示されたサイズを得るために、フレームの周りに加えられる。
【００２８】
上記表の最初の８行は、プログレッシブの内容を持つフレーム画像に応用可能であるのに対し、上記表の残りの８行は、フィールド及びフレーム画像の両方に使用可能である。各マクロブロックに対し１つのフィールドが選択されなければならず、これにより、垂直解像度を１つのフィールドの垂直解像度にまで減少させるので、インターレースの内容を持つフレーム画像（すなわちＳＩＦ（Ｓｏｕｒｃｅ Ｉｎｐｕｔ Ｆｏｒｍａｔ））がより複雑となる。結果的に、上記表の残りの８行は、垂直方向に増大したアスペクト比のために使用されるべきである。
【００２９】
図２は、スケーリングユニット１６の基本的なブロック図を示す。ここで、上記表の第１行目に従う上記実施例に基づいて記載が行われる。
【００３０】
図２に従い、スケーリングユニット１６は、マクロブロック、ブロック及びこれらブロックの係数を検出する逆ランレングス復号を実行し、例えばピクセル計算及び抽出操作に基づく個々のマクロブロックを識別するマクロブロックサーチセクション１６１へ復号されたキーフレーム画像を供給する復号セクション１６０からなる。これらマクロブロックは、スケーリングされたキーフレームを生成するのに必要である。トリミングにより不可視のマクロブロックは排除される。この識別される個々のマクロブロックは、各マクロブロックの関連するＤＣ係数を得るためのＤＣ抽出セクション１６２に供給される。逆ランレングス復号は、個々のマクロブロックを識別可能にして、前記関連するＤＣ係数を見つけることを可能にするのに必要である。これにより、好ましい実施例に従って、キーフレームスケーリング処理は、水平及び垂直の両方向に８の固定されたスケーリング因子を持つ８×８のスケーリングの制約で圧縮領域において実行される。
【００３１】
上記実施例の場合、７２０×５７６ピクセルからなる本来のサイズの圧縮されたキーフレーム画像は、復号部分１６０に入力される。そこで、逆ランレングス復号が、画像の空間的な振幅データを空間的な周波数データに変換する処理であり、８×８ブロック（ＤＣＴブロック）で実行されるＤＣＴ（Ｄｉｓｃｒｅｔｅ Ｃｏｓｉｎｅ Ｔｒａｎｓｆｏｒｍ）に従うＤＣＴブロックを得るために実行される。この結果に基づいて、個々のマクロブロックは、マクロブロックサーチセクション１６１において識別される。この識別は、マクロブロックの数を得るために、ルックアップテーブル操作、ビット若しくはバイト計算操作、又はＤＣＴブロック計算操作並びに後続する分割及び丸め操作によって実行される。その後、ＤＣ抽出セクション１６２は、識別される個々のマクロブロックから関連するＤＣ成分の各々を選択又は抽出し、これらをサイズ９０×７２ＤＣ成分からなる非圧縮スケーリングされたキーフレーム画像を得るために逆量子化される。逆量子化されたＤＣ係数は、結果生じるスケーリングされたキーフレームのピクセルを形成する。このスケーリングされた非圧縮キーフレーム画像は、その後、組立ユニット１２において、符号化され、ＲＡＭ１５から得られる符号化された背景画像に挿入されるように、ＭＰＥＧ符号化器１３に供給される。この操作は、スケーリングされたキーフレーム画像の１６ピクセルがスケーリングユニット１６において得られるとすぐに符号化を始めるように、このＭＰＥＧ符号化器１３を配置することによって最適化されてもよい。
【００３２】
代わりのスケーリング操作として、記載されるＤＣ成分の選択スケーリングが十分な柔軟性を備えていない場合、ピクセル領域においてキーフレーム画像のスケーリングが実行される。この場合、本来の圧縮される又は符号化されるキーフレーム画像は、初めに復号され、次に適当なフィルタリング操作で所望のサイズにスケーリングされる。従って、このマクロブロックサーチ及びＤＣ抽出操作は必要とされない。
【００３３】
メモリリソースの使用効率及び処理性能は、ブロック毎に制限される数のコード語のみを用いることにより改善される。これによって制限される数の係数だけが逆量子化される必要があり、ＩＤＣＴ操作は、必要とされる乗算の数を減少させることにより最適化される。その上、メモリの帯域幅は、スケーリング操作をマクロブロック復号操作と結合させる又は合併させることにより最適化される。従って、上記代わりのスケーリングの場合においても、背景画像は、圧縮領域内のキーフレーム画像で組み立てられる。
【００３４】
一般的に、全てのスケーリング又はリサイズされたフレーム画像は、１６×１６の格子の任意の位置の背景画像に挿入される。図３は、ＴＯＣ（ｔａｂｌｅ ｏｆ ｃｏｎｔｅｎｔｓ）画像の組立体を示す概略図を示す。図３に従って、符号化された背景画像ＢＰと２つの符号化されたキーフレーム画像ＫＦ１及びＫＦ２とは、これらキーフレーム画像ＫＦ１及びＫＦ２が背景画像ＢＰの左上にある２つの既定部分に挿入されるように組み立てられる。その上、多数のタイトルボタンＴＢが組立ユニット１２によって挿入され、これらボタンはＩ／Ｏユニット１７の対応する入力装置によって選択され、押し下げられる。図３から推測されるように、既定の空きフィールドＥＦは、対応する光学ディスクのタイトル３から５に関係する他のキーフレーム画像を挿入するＴＯＣ画像に設けられる。
【００３５】
符号化されたキーフレーム画像ＫＦ１及びＫＦ２は、ＲＡＭ１５から読み取られ、上述されたような対応するスケーリング操作を実行するスケーリングユニットに供給される。キーフレーム画像が挿入される対応する目標フィールドに含まれるマクロブロックの数に従ってスケーリングセクタが選択されるとき、スケーリング操作中に復号されたスケーリングされたキーフレーム画像は符号化され、背景画像ＢＰの対応する位置に挿入されるように組立ユニット１２に供給される。
【００３６】
因子８に対するスケーリングの制限が許容できない場合、スケーリングされた画像への寄与を得る前に、各マクロブロックを復号する必要がある。しかしながら、ＩＤＣＴ及び逆量子化は、上述されるように、スケーリング因子によって決められる制限される数の係数に制限されるべきである。
【００３７】
図４は、好ましい実施例に従うメニュー画像生成操作の概略図を示す。ステップＳ１００において、背景画像は、選択され、該当するキーフレームの境界にそろえられたスライスパターンで符号化される。次にステップＳ１０１において、所望のメニュー画像のためのキーフレーム画像が選択される。この選択は、デフォルトの設定に従って実行されても、Ｉ／Ｏユニット１７の入力操作に基づいて実行されてもよい。その後、選択されたキーフレーム画像のスライス志向のスケーリングは、ステップＳ１０２においてスケーリングユニット１６により実行される。特に、このスケーリングは、例えば、この選択されたキーフレーム画像のサイズを１６×１６ピクセル格子に従って背景画像の対応する挿入フィールドのサイズと整合させるための因子８によって実行される。次に、このスケーリングされた選択されたキーフレーム画像は、ＭＰＥＧ符号化器１３において符号化され（ステップＳ１０３）、この符号化された背景画像の挿入フィールドの全体のスライスは、スケーリングされた前記キーフレーム画像の対応するスライスに置き換えられる（ステップＳ１０４）。その後、組み立てられた又は生成されたメニュー画像は、記録可能な光学ディスク２０上の既定の位置に記録される（ステップＳ１０５）。
【００３８】
従って、全体の操作は、圧縮画像領域において実行される、すなわち、画像が復号される必要が無く、スケーリングされたキーフレームに対応するメニュー画像の僅かな部分だけが符号化される。これによって、通常の符号化−復号化パイプラインの使用は必要とされず、この操作の達成される最小の複雑さが追加のハードウェア及びソフトウェアを最小にする。図１及び図２に示される機能的な処理ブロックは、ハードウェア（又は単一の処理）ユニットとして実施されてもよいし、システム処理器を制御するプログラムルーチンとして実施されてもよい。
【００３９】
しかしながら、キーフレームは、１６×１６ピクセルの格子上に置かれなければならない及びキーフレームスケーリングが因子８によるスケーリングを支持することによってのみ最適化されるという制約は、本発明の本質的な要求ではないことに注意されたい。如何なる種類の格子及びスケーリング因子は、増大する処理要求が許容可能である場合に実施可能となる。その上、本発明は、背景画像とキーフレーム画像とを結合して生成されたメニュー画像が符号化又は圧縮された形式で記録される如何なる種類の記録担体上に記録する如何なる記録操作にも適している、このキーフレーム画像は、背景画像の既定のスライス格子に従ってスケーリングされ、組み立て操作は、前記圧縮又は符号化領域において実行される。
【図面の簡単な説明】
【図１】本発明の好ましい実施例に従う光学ディスクプレーヤの基本的なブロック図を示す。
【図２】前記好ましい実施例に従う光学ディスクプレーヤのスケーリングユニットの基本的なブロック図を示す。
【図３】ＴＯＣ（Ｔａｂｌｅ ｏｆ ｃｏｎｔｅｎｔｓ）を含むメニュー画像の組み立て操作を含む概略図を示す。
【図４】好ましい実施例に従うメニュー生成操作の基本的な流れ図。
【図１】
2004516733.tif 000004
【図２】
2004516733.tif 000005
【図３】
2004516733.tif 000006
【図４】
2004516733.tif 000007
【国際公開パンフレット】
2004516733.tif 000008
2004516733.tif 000009
2004516733.tif 000010
2004516733.tif 000011
2004516733.tif 000012
2004516733.tif 000013
2004516733.tif 000014
2004516733.tif 000015
2004516733.tif 000016
2004516733.tif 000017
2004516733.tif 000018
2004516733.tif 000019
2004516733.tif 000020
2004516733.tif 000021
2004516733.tif 000022
2004516733.tif 000023
2004516733.tif 000024
【国際調査報告】
2004516733.tif 000025
2004516733.tif 000026
2004516733.tif 000027
2004516733.tif 000028